(57)【要約】【課題】  比較的大型の縦置き形の浄水器において、簡単かつ確実な浄水カートリッジ及びカバーの取り付け方法を提供する。【解決手段】  天部に弾性体を接着した浄水カートリッジを倒置し、浄水器ベース部材の装着部分に螺合する。この上から内周縁部に突部を設けたカバーを被せベース部材の溝に前記突起部を導入し、前記弾性体をカバーの内部天板で上方より圧縮しながらベース部材に押し込みながら回転することによりケース内周に設けられた突起部をベース部材の溝に沿って移動させる。突部を溝部の奥に形成したフック部で固定することによりカバーおよび浄水カートリッジを同時にベース部材へ固定する。【選択図】  図７
2006000803.tif 000002
【特許請求の範囲】
【請求項１】
べース部材に浄水カートリッジを取り付け、この外側をカバーで覆い、ベース部材を介して導入した水を浄水カートリッジ内を通して再びベース部材から導出するようにした浄水器において、前記カバー及び浄水カートリッジはベース部材に対して廻し止めされ、更に前記浄水カートリッジとカバーとの何れか一方にベース部材に対して廻し止めした際に圧縮される弾性体が設けられていることを特徴とする浄水器。
【請求項２】
請求項１に記載の浄水器において、前記弾性体は前記浄水カートリッジの上端部に取り付けられていることを特徴とする浄水器。
【請求項３】
請求項１に記載の浄水器において、前記カバーはベース部材に形成した溝に係合する突部を内周部に持ち、この突部が前記弾性体の弾発力で垂直方向に牽引されることで前記溝内でロックされることを特徴とする浄水器。
【請求項４】
請求項１乃至請求項３のいずれかに記載の浄水器において、浄水カートリッジの下端部に形成したネジ山の終端部に突き当て面を持ち、浄水器ベース部材に形成されたネジ溝の最下端にストップ面を持つことを特徴とする浄水器。
【発明の詳細な説明】
【技術分野】
【０００１】
本発明は、野菜や手を洗浄するためにシンクの近傍に設置される浄水器の構造に関する。
【背景技術】
【０００２】
従来より、水道水等を濾過することによって良質の飲料水とすることを目的として、例えば実開昭４９−４１９６６号公報（特許文献１）や実開昭５４−７９９６６号公報（特許文献２）などに開示されている活性炭を使った浄水器が家庭や飲食店等に設置されて広く使用されている。この浄水器は、流入口及び流出口を除いて周囲が閉鎖されたケーシング内に濾過体を設けたものである。濾過体は、目の細かいフィルターや活性炭が用いられており、流入口から供給される水道水などの原水中に含まれる、不純物や臭気の元となる成分を除去するものである。
【特許文献１】実開昭４９−０４１９６６号公報
【特許文献２】実開昭５４−０７９９６６号公報
【特許文献３】特公平０６−０５７２８３号公報
【特許文献４】特開平０８−２６６８２５号公報
【発明の開示】
【発明が解決しようとする課題】
【０００３】
ところが、特許文献１や特許文献２の構成であると濾過部材の濾過能力が低下して容器を交換する際に際してまず外箱ケースを外さなくてはならず、ある程度大きな能力を持つ浄水器では着脱の手順が面倒であった。
【０００４】
また、特許文献３にあるネジ込み式の浄水器本体や浄水カートリッジにおいては、ネジ山やネジ溝が連続加工で作られていて切りっ放し状態なので装着位置が定まらず、着脱時に強く締め付けるとネジ山が変形したり潰れたりして、折角ベースとカバーにお揃いのデザインで印刷しても締め付け力によりベースとカバーの相対位置がずれてしまい美観を損ねることが多いという問題がある。
【０００５】
ベースとカバーを固定する方法は安価なネジ方式以外にもケースとベース部材に孔を空けてカバー外側からスクリューネジを挿入してネジ締めする方法などもあるが、コストが高くなるのと、ケースの内部に収めた浄水カートリッジの頂点との間に隙間が出来てしまう可能性もある。この場合、内部の部品との間にパッキンなどを挿入することも考えられるが、そうするとケースを閉める時に上から押さえながらネジ止めをしなくてはならないので面倒である。
【０００６】
更に、特許文献４にある浄水カートリッジと浄水器本体のカートリッジネジ装着部分に、浄水カートリッジをネジ込み位置まで螺入すると互いに当接して浄水カートリッジの螺入を停止するストッパーを設けている。この機構により、浄水カートリッジの着脱時において締め過ぎによるネジ山の破損等を防止できるとしている。しかし、前記水カートリッジは図１に示されるように水道の蛇口に直接本体を接続する比較的小型軽量な形状になっていて本願発明のような業務用浄水装置においては、浄水カートリッジが大きいので水道水が流入すると自重が重くなり、振動などで螺合部が緩む可能性があり浄水カートリッジ外周に設けたネジで締めるだけでは十分な水密性が確保できない。
【課題を解決するための手段】
【０００７】
上記の課題を解決するために、本発明は、べース部材に浄水カートリッジを取り付け、この外側をカバーで覆い、ベース部材を介して導入した水を浄水カートリッジ内を通して再びベース部材から導出するようにした浄水器において、前記カバー及び浄水カートリッジをベース部材に対して廻し止めし、更に前記浄水カートリッジとカバーとの何れか一方にベース部材に対して廻し止めした際に圧縮される弾性体を設けた。ここで、廻し止めとは本発明の場合、螺合のみでなく、一方の部材にスリットや溝を、他方の部材にスリットや溝に係合する突部を設けたものを指す。
【０００８】
上記構成とすることにより、べース部材に浄水カートリッジとカバーを組付けた際にガタ付きが発生することがない。また前記弾性体の配置箇所は任意であるが、例えば、浄水カートリッジの上端部に取り付けることが考えられる。
【０００９】
また、ベース部材とカバーとの係合構造としては、カバーにベース部材に形成した溝に係合する突部を内周部に設ける構造が考えられる、この場合、突部が前記弾性体の弾発力で垂直方向に牽引されることで前記溝内でロックされる。尚、カバーに溝部を、ベース部材に突部を設けてもよい。
【００１０】
更に、浄水カートリッジの下端部に形成したネジ山の終端部に設けた突き当て部と、浄水器ベース部材に形成されたネジ溝の下側終端部に設けたストップ面とが当接する構造とすることで、過剰な締付けを未然に防ぐことができる。
【発明の効果】
【００１１】
本発明の浄水器は、簡単な構造でしかも組立て後にガタ付きが生じることがない。またカートリッジのネジ締め圧力を適正に設計することができる。
【発明を実施するための最良の形態】
【００１２】
以下、本発明の最良の実施形態を図面に基づいて詳細に説明する。図１は、浄水器の正面図、図２は分解図、図３（ａ）はベース部材の平面図、（ｂ）は（ａ）のＡ−Ａ線断面図である。
【００１３】
本体１は、カバー２とベース部材３から構成され、カバー２を外すことによりベース部材３の浄水カートリッジ下端面保持部材１４に装着された浄水カートリッジ４が取り外せる。
【００１４】
浄水器は、本体１を縦置きにして使用するものである。ここで、カバー２は、本実施例においては、ステンレス鋼板を円筒形に加工したものである。尚、本願発明の実施の形態は、本実施例のような筒状のものに限定されず、中空の箱状体であればどのような形態であっても良い。又、本体１の構成についても、本実施例のようにカバー２とベース部材３とからなるものに限定されない。
【００１５】
図２に示すように、カバー２の裏面には突部７が設けてあり、この突部７と係合する溝８がベース部材３に形成されている。更に、浄水フィルター４の下端部４ｂにはＯリング２１およびネジ山２２が設けられている。
【００１６】
また図３に示すように、ベース部材３には水道水の流入口６が設けられ、この流入口６から入った水道水は、ベース部材３の内部を通って流入水吐出口１５から浄水カートリッジ４に供給され、浄化された水は処理水排出口１６からベース部材３に戻り、第一流出口１７あるいは第２流出口１８から外部に排出される。
【００１７】
なお、第一流出口１７と第二流出口１８は共に内面に雌ネジが形成されており、第一流出口１７には出口管に形成される雄ネジと、第二流出口１８には封印プラグに形成される雄ネジと水密に螺合されるが、これら出口管とプラグは自由に交換が可能で、吐水方向は流し台に合わせて自由に選択可能である。
【００１８】
図３（ｂ）に示すように、浄水カートリッジ下端面保持部材１４には、内壁に沿ってネジ溝１９が切られていて、下端のネジ溝終端部には急峻な勾配を持つネジ溝ストップ面２０がある。
【００１９】
図４は浄水カートリッジ４の正面図と図５は拡大底面図である。浄水カートリッジ４の上端面４ａには弾性体５が貼り付けてあり、この弾性体５がカバー２と浄水カートリッジ４の間に挟まれることにより弾性力を発生して、カバー２を上方向に押し上げる。浄水カートリッジ４の下端部４ｂにはＯリング２１が装着され、その下にはネジ山突起部２２が形成されている。ネジ山突起部２２がベース部材３にネジ込まれた状態で、Ｏリング２１がベース部材３の装着部分段差１４ａに接近、接触する。更にＯリング２１が変形して装着部分段差１４ａに密着することによりシール部が水密となって水が浄水カートリッジ４から外に漏れるのを防止している。
【００２０】
本実施例ではＯリング２１を合成ゴム製とし、初期において３０％ほどの圧縮となるように設定されているが、材料の経年劣化などで圧縮が１０％未満に低下した場合はＯリング２１を新しいものに交換することが望ましい。
【００２１】
本実施例で使ったＯリング２１は合成ゴムで作られた断面が丸い環状パッキンとしたが、断面形状は丸でなくとも良いし、水漏れ防止効果が持続するものであれば材質も合成ゴムに限らない。また、ネジ山突き当て面については、本実施例では直線状の断面となっているが、受け側のネジ溝ストップ面２０との嵌合に支障がなければどのような形状でも構わない。
【００２２】
図６はベース部材３の装着部分に固定された水カートリッジ４の断面図を示している。流入口から注入された水道水がカートリッジ流入口９から入って来て、カートリッジ部材１０の中を通過し、処理された後に処理水１２として処理水通路１１のパイプを通りカートリッジ流出口１３から排出される。
【００２３】
浄水カートリッジ４の内部は特に限定はしないが、例えばサーフセラ（登録商標）ボールのような除菌効果のある素材でも良いし、一般に使われる浄水材や脱臭剤あるいは何らかの特定機能を持つ材料でも良い。長期間に渡る使用により、浄水カートリッジ４の機能が低下した場合には、浄水カートリッジ４のみを交換することで再び機能を復活させることが出来る。また、この浄水カートリッジ４については、種々の形態で実施が可能であり、下端部の雌ネジ部分以外の形状は円筒形でなくとも、例えば多角形でも良い。
【００２４】
図７（ａ）はカバー２を上方向から垂直に降ろしてベース部材３の上に載せた状態を示し、（ｂ）は突起部７と溝部８の正面拡大図である。突起部７は溝開口部８ａに位置し、この状態ではカバー２が浄水カートリッジ４の上に載せられただけなので突部７は溝開口部８ａに位置して上下方向にはフリーな状態になっている。
【００２５】
また図８（ａ）はカバーを時計方向にロックするまで回転させた状態を示し、（ｂ）は突部７と溝部８の正面拡大図である。この状態では、カバー２はカバー２と浄水カートリッジ４の間に挟まれた弾性体５の弾性力により上方向に押し上げられているので、カバー２を装着する時には、カバー２を下方向に押して弾性体５の弾性力をキャンセルしながら時計方向に回すことにより、突部７は溝部８の溝ロック部８ｂに嵌り込む。この状態で手を離せば、弾性体５の弾性力によりカバーは上方向に引っ張られたままになり、突部７は溝ロック部８ｂにロックされる。
【００２６】
浄水カートリッジ４を交換する際には、まずカバー２を取り外す。この時は、まずカバー２を上方から押さえて弾性体５が発生する上方向の弾性力をキャンセルしながら反時計方向に押す。更に反時計方向に回し続けることにより、突部７が溝部８のロック部８ｂから外れて溝開口部８ａの位置に戻る。ここで、そのまま上方に引き上げることによりカバー２とベース部材３が分離される。
【００２７】
図９（ａ）は浄水カートリッジ下端部４ｂのネジ山がベース部材３のネジ溝１９に螺合される途中の断面図を示し、（ｂ）はギャップ２４を持つネジ溝ストップ面２０とネジ山突き当て面２３のＢ−Ｂ断面図である。その状態から更に螺合すると、ネジ溝ストップ面２０とネジ山突き当て面２３が当接して浄水カートリッジ４の回転操作が阻止されることにより装着が完了する。
【００２８】
図１０（ａ）は浄水カートリッジ装着が完了した状態のネジ溝１９とネジ山２２の断面図を示し、ネジ溝ストップ面２０とネジ山突き当て面２３が当接して浄水カートリッジ４の螺入が停止状態になっている。同図（ｂ）は当接点２５で距離が略ゼロになったネジ溝終端部２０とネジ山終端部２３のＣ−Ｃ断面図である。
【００２９】
尚、カバー２を外した状態において、ネジ溝終端部２０とネジ山終端部２３が当接点２５の位置では、浄水カートリッジ４はベース部材３のネジ溝１９に対してＯリング２１の装着部分段差１４ａに対する弾性圧縮の反発力だけで固定されている。よって、浄水カートリッジ４を交換する時は、浄水カートリッジ上端部  を上から掴み反時計方向に回転させることにより簡単に外すことが出来る。
【００３０】
本願発明の実施の形態においては、ネジ山突き当て面の断面が四角形、ネジ溝ストップ面の断面も四角形であるが、両者が当接して浄水カートリッジの回転を阻止できれば断面形状は四角形にこだわらず、丸や多角形などでも良い。
【００３１】
また、本実施例ではネジ山突き当て面２３の切断角度と、ネジ溝ストップ面２０の角度とも直角としたが、両者が当接して浄水カートリッジの回転を阻止できれば直角である必要はない。
【図面の簡単な説明】
【００３２】
【図１】浄水器の正面図
【図２】本体からカバーと浄水カートリッジを外した分解図
【図３】（ａ）はベース部材の平面図、（ｂ）はＡ−Ａ線断面図
【図４】浄水カートリッジの正面図
【図５】浄水カートリッジの拡大底面図
【図６】浄水カートリッジの断面図
【図７】（ａ）はカバーのベース部材への取付方法を示す図、（ｂ）は要部断面図
【図８】（ａ）はカバーのベース部材への取付方法を示す図、（ｂ）は要部断面図
【図９】（ａ）は浄水カートリッジのベース部材への装着方法を示す図、（ｂ）は要部断面図
【図１０】（ａ）は浄水カートリッジのベース部材への装着方法を示す図、（ｂ）は要部断面図
【符号の説明】
【００３３】
１…本体、２…カバー、３…ベース部材、４…浄水カートリッジ、４ａ…浄水カートリッジ上端部、４ｂ…浄水カートリッジ下端部、５…弾性体、６…流入口、７…突部、８…溝部、８ａ…溝開口部、８ｂ…溝ロック部、９…カートリッジ流入口、１０…カートリッジ部材、１１…処理水パイプ、１２…処理水、１３…カートリッジ流出口、１４…浄水カートリッジ下端端面保持部材、１４ａ…装着部分段差、１５…流入水吐出口、１６…処理水排出口、１７…第一流出口（出口管が接続されている状態），１８…第二流出口（プラグで封印されている状態）、１９…ネジ溝、２０…ネジ溝ストップ面、２１…Ｏリング、２２…ネジ山突起部、２３…ネジ山突き当て面、２４…ネジ山終端部とネジ溝終端部のギャップ、２５…ネジ溝終端部２０とネジ山終端部２３の当接点。
【図１】
2006000803.tif 000003
【図２】
2006000803.tif 000004
【図３】
2006000803.tif 000005
【図４】
2006000803.tif 000006
【図５】
2006000803.tif 000007
【図６】
2006000803.tif 000008
【図７】
2006000803.tif 000009
【図８】
2006000803.tif 000010
【図９】
2006000803.tif 000011
【図１０】
2006000803.tif 000012